(57)【要約】      （修正有）【課題】ユーザが迷うことなく画面遷移操作を行えるようにする。【解決手段】情報処理装置２００は、複数の画像データが属するグループに係る情報と単体画像データに係る情報とを一覧表示する第１の画面と、第１の画面において単体画像データに係る情報が指定された場合に表示される第２の画面と、第１の画面においてグループに係る情報が指定された場合、又は、第２の画面においてグループに係る情報が指定された場合にグループに属する複数の画像データが表示される第３の画面との表示処理を制御する。そして、情報処理装置２００は、第１の画面から第３の画面に遷移したのか、第２の画面から第３の画面に遷移したのかを示す情報を保持する。次に、情報処理装置２００は、第３の画面において元の画面に戻ることが指定された場合、保持した情報に基づいて、第３の画面から第１の画面又は第２の画面に遷移させる。【選択図】図１
2014130527.tif 000002
【特許請求の範囲】
【請求項１】
複数の画像データが属するグループに係る情報と、前記グループに属しない単体画像データに係る情報とを一覧表示する第１の画面と、前記第１の画面において前記単体画像データに係る情報が指定された場合に表示される第２の画面と、前記第１の画面において前記グループに係る情報が指定された場合、又は、前記第２の画面において前記グループに係る情報が指定された場合に前記グループに属する前記複数の画像データが表示される第３の画面との表示処理を制御する表示制御手段と、
前記第１の画面において前記グループに係る情報が指定されたことにより、前記第１の画面から前記第３の画面に遷移したのか、前記第２の画面において前記グループに係る情報が指定されたことにより、前記第２の画面から前記第３の画面に遷移したのかを示す情報を保持する保持手段とを有し、
前記表示制御手段は、前記第３の画面において元の画面に戻ることが指定された場合、前記保持手段において保持される情報に基づいて、前記第３の画面から前記第１の画面又は前記第２の画面に遷移させることを特徴とする情報処理装置。
【請求項２】
前記表示制御手段は、前記第１の画面において前記単体画像データに係る情報が指定された場合、前記単体画像データを前記第２の画面に表示し、前記第２の画面において前記単体画像データから前記グループに係る情報を表示し、前記グループに係る情報が指定された場合、前記第３の画面を表示することを特徴とする請求項１に記載の情報処理装置。
【請求項３】
前記表示制御手段は、前記第１の画面に対応する、少なくとも前記単体画像データから任意の画像データを選択可能な前記第１の選択画面と、前記第２の画面に対応する、前記グループに属する前記複数の画像データから任意の画像データを選択可能な第２の選択画面との表示処理を制御することを特徴とする請求項１又は２に記載の情報処理装置。
【請求項４】
前記第１の選択画面は、前記第１の画面から遷移される画面であり、前記第２の選択画面は、前記第２の画面から遷移される画面であることを特徴とする請求項３に記載の情報処理装置。
【請求項５】
前記表示制御手段は、前記第１の選択画面から遷移する、前記グループに属する前記複数の画像データから任意の画像データを選択可能な第３の選択画面の表示処理を制御することを特徴とする請求項３又は４に記載の情報処理装置。
【請求項６】
前記表示制御手段は、前記第３の選択画面で前記グループから画像データが選択された場合、選択された画像データの数を前記第１の選択画面に表示することを特徴とする請求項５に記載の情報処理装置。
【請求項７】
前記表示制御手段は、前記第３の選択画面から前記第１の選択画面に遷移した場合、又は、前記第３の選択画面から前記第２の選択画面に遷移した場合、前記第１の選択画面又は前記第２の選択画面において、前記第３の選択画面で選択された画像データの数を表示することを特徴とする請求項５又は６に記載の情報処理装置。
【請求項８】
前記第３の画面では、前記グループに属する前記複数の画像データが一覧表示されることを特徴とする請求項１乃至７の何れか１項に記載の情報処理装置。
【請求項９】
情報処理装置によって実行される情報処理方法であって、
複数の画像データが属するグループに係る情報と、前記グループに属しない単体画像データに係る情報とを一覧表示する第１の画面と、前記第１の画面において前記単体画像データに係る情報が指定された場合に表示される第２の画面と、前記第１の画面において前記グループに係る情報が指定された場合、又は、前記第２の画面において前記グループに係る情報が指定された場合に前記グループに属する前記複数の画像データが表示される第３の画面との表示処理を制御する表示制御ステップと、
前記第１の画面において前記グループに係る情報が指定されたことにより、前記第１の画面から前記第３の画面に遷移したのか、前記第２の画面において前記グループに係る情報が指定されたことにより、前記第２の画面から前記第３の画面に遷移したのかを示す情報を保持する保持ステップと、
前記第３の画面において元の画面に戻ることが指定された場合、前記保持ステップにより保持された情報に基づいて、前記第３の画面から前記第１の画面又は前記第２の画面に遷移させる遷移ステップとを有することを特徴とする情報処理方法。
【請求項１０】
複数の画像データが属するグループに係る情報と、前記グループに属しない単体画像データに係る情報とを一覧表示する第１の画面と、前記第１の画面において前記単体画像データに係る情報が指定された場合に表示される第２の画面と、前記第１の画面において前記グループに係る情報が指定された場合、又は、前記第２の画面において前記グループに係る情報が指定された場合に前記グループに属する前記複数の画像データが表示される第３の画面との表示処理を制御する表示制御ステップと、
前記第１の画面において前記グループに係る情報が指定されたことにより、前記第１の画面から前記第３の画面に遷移したのか、前記第２の画面において前記グループに係る情報が指定されたことにより、前記第２の画面から前記第３の画面に遷移したのかを示す情報を保持する保持ステップと、
前記第３の画面において元の画面に戻ることが指定された場合、前記保持ステップにより保持された情報に基づいて、前記第３の画面から前記第１の画面又は前記第２の画面に遷移させる遷移ステップとをコンピュータに実行させるためのプログラム。
【発明の詳細な説明】
【技術分野】
【０００１】
本発明は、画像データを表示する画面間を遷移させる技術に関するものである。
【背景技術】
【０００２】
従来から、デジタルカメラやコンピュータ（以下、ＰＣと称す）等の情報処理装置をケーブル等で接続し、デジタルカメラ内部の記録装置やデジタルカメラに着脱可能な記録媒体に記録されている画像データ等をＰＣに転送するシステムが知られている。また、近年においては、ＷｉＦｉ等の無線通信も盛んに利用されるようになり、デジタルカメラの接続対象もＰＣだけではなく、スマートフォン等の携帯機器にも及んでいる。
【０００３】
一方で、デジタルカメラでは、撮影機能も多様化し、高速連写機能や、露出を自動で調整して撮影するＡＥＢ（自動露出ブラケティング）機能等も多く実装されてきている。このような状況において、ユーザが高速連写やＡＥＢ等の機能を多用すると、同じような構図や被写体の画像データが複数枚撮影され、それをＰＣやスマートフォンで閲覧しようとすると、目的の画像データを探し出すのが難しいことがある。特に、スマートフォン等の携帯機器は、画面のスペースも限られており、ＰＣのようなリッチな画面構成をすることが難しい。
【０００４】
また、高速連写やＡＥＢ等の機能は、同じようなシーンの画像データを複数枚自動で撮影し、その中からユーザが好ましいと思った画像データを選びとるためのものである。そうすると、デジタルカメラで撮影されたこれらの似たシーンの複数枚の画像データを、スマートフォン等の携帯機器でユーザに分かりやすく表示させる必要がある。このような場合、従来では、似たようなシーンの画像データをグループとして扱い、そのグループの代表画像データを選び出し、表示する技術が活用されている。
【０００５】
例えば、特許文献１に開示された技術では、複数枚の画像データをコマ送りして表示するときにグループがあると、そのグループの代表画像データ１枚のみを表示して、当該グループに属する残りの画像データをスキップするように工夫したり、全体をコマ送り表示するモードとグループ内の画像データのみをコマ送り表示するモードとを設け、グループ内の画像データを分かりやすく表示するようにしている。
【０００６】
また、特許文献２に開示された技術では、全体を一覧表示するサムネール画面において、単体画像データとグループの代表画像データとが混在していても一緒に表示し、全体を見渡せるような工夫を行っている。そして、グループが指定されると、グループ内に属する画像データのみをサムネール画面で表示することにより、限られたスペースの表示装置を持つ機器においても、グループ内の画像データを効率よく表示することを実現している。
【先行技術文献】
【特許文献】
【０００７】
【特許文献１】特開２００３−１０１９１０号公報
【特許文献２】特開２００７−２５７４６５号公報
【発明の概要】
【発明が解決しようとする課題】
【０００８】
しかしながら、従来技術だけでは、特にＡＥＢ等のブラケット撮影されたグループの画像データや、高速連写されたグループの画像データを扱うことに関しては不十分であった。なぜなら、上述したとおり、これらのグループの画像データは、複数の似たような画像データの中から、ユーザが最適だと思うものを選択することを目的に撮影されているからである。そのため、従来技術のように表示を工夫するだけでは、グループの目的である、その中から画像データを選び出し、その後、当該画像データを活用するためには、不十分であった。例えば、特許文献１に開示された技術では、グループ内の代表画像データが選択されると、当該グループ内の画像データ全てが選択されたこととみなされ、当該グループ内から最適な一枚を選び出すことはできない。
【０００９】
また、特許文献２では、画像データを選択することについては言及されていない。特許文献２に開示された技術のように、サムネール画面を表示して全体を一覧できる仕組みは、画像データを見て確認するには有効な方法である。但し、その中から所望の画像データを複数枚選択しようとすると、どのグループで何枚選んだかが分からなくなったり、グループ表示に遷移したときに、全体で画像データを選択していた状態が解除されたりし、分かりやすい選択方法とはなっていなかった。
【００１０】
さらに、特許文献１及び２に開示された技術では、複数の経路から遷移可能な画面上でユーザが元の画面に戻すための操作を行った場合については考慮されていない。従って、このような操作が行われた場合、正確に元の画面に戻すことができるという保証がなく、ユーザは画面遷移操作の際に迷いが生じる恐れがある。
【００１１】
そこで、本発明の目的は、ユーザが迷うことなく画面遷移操作を行えるようにすることにある。
【課題を解決するための手段】
【００１２】
本発明の情報処理装置は、複数の画像データが属するグループに係る情報と、前記グループに属しない単体画像データに係る情報とを一覧表示する第１の画面と、前記第１の画面において前記単体画像データに係る情報が指定された場合に表示される第２の画面と、前記第１の画面において前記グループに係る情報が指定された場合、又は、前記第２の画面において前記グループに係る情報が指定された場合に前記グループに属する前記複数の画像データが一覧表示される第３の画面との表示処理を制御する表示制御手段と、前記第１の画面において前記グループに係る情報が指定されることにより、前記第１の画面から前記第３の画面に遷移したのか、前記第２の画面において前記グループに係る情報が指定されたことにより、前記第２の画面から前記第３の画面に遷移したのかを示す情報を保持する保持手段とを有し、前記表示制御手段は、前記第３の画面において元の画面に戻ることが指定された場合、前記保持手段において保持される情報に基づいて、前記第３の画面から前記第１の画面又は前記第２の画面に遷移させることを特徴とする。
【発明の効果】
【００１３】
本発明によれば、ユーザが迷うことなく画面遷移操作を行うことが可能となる。
【図面の簡単な説明】
【００１４】
【図１】本発明の実施形態に係るデジタルカメラシステムの構成を示す図である。
【図２】情報処理装置の構成を示す図である。
【図３】情報処理装置上で動作するアプリケーションによる画面遷移を処理を示す図である。
【図４】画像データ選択の際における画面遷移を示す図である。
【図５】デジタルカメラにおいて保持される画像データに関する情報の構成を示す図である。
【図６】本発明の実施形態に係るデジタルカメラシステムの処理を示すフローチャートである。
【発明を実施するための形態】
【００１５】
以下、本発明を適用した好適な実施形態を、添付図面を参照しながら詳細に説明する。
【００１６】
図１は、本発明の実施形態に係るデジタルカメラシステムの構成を示す図である。図１に示すように、本実施形態に係るデジタルカメラシステムは、デジタルカメラ等の情報入力装置１００、及び、情報処理装置２００で構成される。
【００１７】
情報処理装置２００としては、通常のコンピュータ（以下、ＰＣと称す）やスマートフォンが用いられる。ＰＣやスマートフォンの内部には、ＣＰＵ等の演算処理装置、ＲＡＭ等の一次記憶装置、ハードディスク等の二次記憶装置、キーボードやマウス等の操作装置、及び、ディスプレイ等の表示装置等が備えられる。
【００１８】
情報入力装置１００は、レンズ、ＣＣＤ及び駆動回路等を含む光学ユニット１０５、画像データ等を処理する信号処理回路１０４、ＣＰＵ等の演算装置１０３、ＤＲＡＭ等の一次記憶装置１０６、フラッシュメモリ等の二次記憶装置１０７、操作部材１０８、ＬＣＤ液晶等の表示部材１０９、プログラムを格納するため等に使用されるＲＯＭ等の読み出し専用メモリ１１０、コンパクトフラッシュ（登録商標）メモリカード等の情報入力装置１００に着脱可能な記録媒体（着脱可能記憶媒体）１１１、及び、情報処理装置２００との通信接続を制御する通信制御装置１０２から構成される。
【００１９】
通信制御装置１０２は、ＵＳＢ等の有線接続やWirelessLAN等の無線接続等の通信形態を制御する。例えば、ＵＳＢである場合、ＵＳＢデバイスコントローラ等が通信制御装置１０２に包含され、WirelessLANである場合、無線通信モジュール等が通信制御装置１０２に包含される。また、情報入力装置１００の種類によっては、着脱可能記憶媒体１１１だけを備えるようにしてもよいし、着脱不可能なフラッシュメモリ等の二次記憶装置１０７だけを備えるようにしてもよい。
【００２０】
図２は、情報処理装置２００の構成を示す図である。図２に示すように、情報処理装置２００は、演算装置であるＣＰＵ２０１、データ演算に利用される一次記憶装置であるＲＡＭ２０２、画像データやプログラムを格納する記録媒体２０３、デジタルカメラ等との通信を行う通信インタフェース２０４、画像データを表示するディスプレイ２０５、及び、タッチパネルのような入力装置であるユーザインタフェース２０６を備える。
【００２１】
次に、情報入力装置１００の処理について説明する。情報入力装置１００は、高速連写機能やＡＥＢ機能等を備える。例えば、高速連写した場合には、撮影された画像データは、着脱可能記憶媒体１１１にＪＰＥＧ等の画像データの集合として記録される。その後、情報入力装置１００と情報処理装置２００とが例えばＷｉＦｉ等の無線通信方式を使用して接続される。
【００２２】
情報入力装置１００と情報処理装置２００とが接続されると、ユーザは、ユーザインタフェース２０６を用いてアプリケーションを起動させるための操作を行う。これにより、記録媒体２０３に格納されるアプリケーションが起動する。即ち、情報処理装置２００にはタッチパネル等のＵＩ部材が用意されており、ディスプレイ２０５に表示されたボタン等をユーザがタップすることにより、アプリケーションが起動する。そして、アプリケーションは、ディスプレイ２０５に各種ボタンや画像データを表示する。
【００２３】
情報処理装置２００上で動作するアプリケーションは、情報入力装置１００内の着脱可能記憶媒体１１１に記録されている画像データから所望の画像データを複数選択することが可能である。ここで、着脱可能記憶媒体１１１に記録されている画像データには、他の画像データと関連しない単体画像データや、高速連写等で生成された他の画像データと関連する、グループに属する画像データが含まれる。選択された画像データは、情報入力装置１００から情報処理装置２００に転送され、ＳＮＳ（ソーシャルネットワークサービス）等で利用される。
【００２４】
図３は、情報処理装置２００上で動作するアプリケーションによる画面遷移を示す図である。図３（ａ）は、情報入力装置１００内の着脱可能記憶媒体１１１に記録されている画像データのサムネール画面を示している。ここには、他の画像データと関連がない単体画像データを示すサムネール画像データ３−１や、グループの代表画像データやアイコン３−２が一覧表示される。このように、サムネール画面では、着脱可能記憶媒体１１１に格納される画像データ全体が一覧表示される。また、このサムネール画面には、後述する画像選択画面に移行するための選択画面遷移ボタン３−６が配置されている。なお、図３（ａ）に示す画面は、第１の画面の例である。また、図３に示す表示処理及び後述する図４に示す表示処理は、表示制御手段の処理例である。
【００２５】
図３（ａ）に示す画面において、ユーザが単体画像データを示すサムネール画像データ３−１をタップすると、図３（ｂ）に示す画面に遷移する（図３の（１））。図３（ｂ）に示す画面は、タップされたサムネール画像データの拡大表示画面である。図３（ｂ）に示す画面には、図３（ａ）に示す元の画面に戻す（図３の（４））ための戻りボタン３−５や、図３（ｂ）に示すサムネール画像データを拡大表示した画面の状態で、前後の画像データに表示を移動させるための移動用ボタン３−３及び３−４が配置されている。また、図３（ｂ）に示す画面には、画像データをＳＮＳ（ソーシャルネットワークサービス）等に送信するための送信ボタン３−７も配置されている。送信ボタン３−７がタップされると、図３（ｂ）に示す画面において拡大表示されている画像データが、指定されたＳＮＳに送信される。なお、図３（ｂ）に示す画面は、第２の画面の例である。
【００２６】
また、図３（ｂ）に示す画面において、移動用ボタン３−３又は３−４がタップされると、その操作に応じて表示対象となる画像データが単体画像データである場合には、図３（ｂ）に示す画面のままで、表示される画像データのみが変化する。一方、移動用ボタン３−３又は３−４がタップされることにより、関連する複数の画像データを含むグループが表示対象となる場合には、図３（ｃ）に示す画面に遷移する（図３の（２））。図３（ｃ）に示す画面では、画像データがグループになっていることが分かるように、グループの代表画像データ又はアイコンが表示され、ユーザに対して、一枚ではなく複数枚の画像データを含むグループが現在表示対象となっていることが示される。
【００２７】
図３（ｃ）に示す画面にも、図３（ａ）に示す元の画面に戻す（図３の（５））ための戻りボタン３−５や、拡大表示された状態で前後の画像データに表示を移動させるための移動用ボタン３−３及び３−４が配置されている。図３（ｃ）の移動用ボタン３−３又は３−４がタップされることにより、単体画像データが表示対象となる場合には、図３（ｂ）に示す画面に遷移する（図３の（３））。なお、図３（ｃ）に示す画面には、送信ボタン３−７は配置されていない。この画面で表示されているグループの代表画像データ又はアイコンがタップされると、そのグループに含まれる画像データ群を閲覧可能な図３（ｄ）に示す画面に遷移する（図３の（８））。図３（ｄ）に示す画面では、グループ内に存在する画像データ群がサムネール画像データとして表示される。
【００２８】
図３（ｄ）に示す画面には、選択画面遷移ボタン３−６や図３（ａ）に示す元の画面に戻す（図３の（７））ための戻りボタン３−５が配置されている。ここで、図３（ｄ）に示す画面における戻りボタン３−５がタップされた場合の動作について説明する。図３（ｄ）に示す画面には、図３（ａ）に示す画面でグループの代表画像データやアイコン３−２がタップされた場合にも、直接遷移してくる（図３の（６））。従って、図３（ｄ）に示す画面に遷移するパターンとしては、図３（ｃ）に示す画面から遷移するパターンと図３（ａ）に示す画面から遷移するパターンとの２つのパターンがある。そこで、本実施形態における情報処理装置２００では、図３（ａ）に示す画面から図３（ｄ）に示す画面に遷移してきたのか、図３（ｃ）に示す画面から図３（ｄ）に示す画面に遷移してきたのかを保持している。なお、図３（ｄ）に示す画面は、第３の画面の例である。
【００２９】
図３（ｄ）に示す画面において、戻りボタン３−６がタップされた際には、情報処理装置２００は、図３（ａ）に示す画面から図３（ｄ）に示す画面に遷移してきたのか、図３（ｃ）に示す画面から図３（ｄ）に示す画面に遷移してきたのかを示す情報を参照する。そして、情報処理装置２００は、図３（ａ）に示す画面から図３（ｄ）に示す画面に遷移していた場合には、図３（ａ）に示す画面に遷移するように制御する。また、情報処理装置２００は、図３（ｃ）に示す画面から図３（ｄ）に遷移していた場合には、図３（ｃ）に示す画面に遷移（図３の（９））するように制御する。
【００３０】
図３（ｄ）に示す画面上で表示されているサムネール画像データがタップされると、図３（ｅ）に示す画面に遷移する（図３の（１０））。図３（ｅ）に示す画面は、グループ内の画像データを拡大表示する画面であり、拡大表示された状態で前後の画像データに表示を移動する移動用ボタン３−３及び３−４が配置されている。但し、図３（ｅ）に示す画面で移動用ボタン３−３又は３−４がタップされると、そのグループ内の画像データ間のみで移動表示されることになる。なお、図３（ｅ）に示す画面にも送信ボタン３−６が配置されている。図３（ｅ）に示す画面において、送信ボタン３−６がタップされると、図３（ｅ）に示す画面において拡大表示されている画像データが、指定されたＳＮＳに送信される。また、図３（ｄ）に示す画面にも、元の画面の表示に戻す（図３の（１１））ための戻りボタン３−５が配置されている。
【００３１】
次に、画像データの選択に関する操作と画面遷移とについて説明する。図４は、画像データ選択の際における画面遷移を示す図である。なお、図４（ａ）は、図３（ａ）と等価な画面であり、図４（ｂ）は、図３（ｄ）と等価な画面である。
【００３２】
図４（ａ）において、選択画面遷移ボタン３−６と等価であるのが選択画面遷移ボタン４−３である。この選択画面遷移ボタン４−３がタップされると、図４（ｄ）に示す第１の選択画面に遷移する（図４の（３））。図４（ｄ）に示す第１の選択画面において、他の画像データと関連していない単体画像データのサムネール画像データがタップされると、その画像データが選択されたことを示す、選択アイコン４−１０が表示される。また、グループの代表画像データやアイコン４−２がタップされると、図４（ｅ）に示す画面に遷移する（図４の（５））。図４（ｅ）に示す画面は、グループ内だけの画像データを選択可能な画面である。図４（ｅ）に示す画面でサムネール画像データがタップされると、そのサムネール画像データが選択されたことを示す、選択アイコン４−１３が表示される。また、図４（ｅ）に示す画面には戻るボタン４−１２が配置されており、戻るボタン４−１２がタップされると、図４（ｆ）に示す画面に遷移する（図４の（６））。図４（ｆ）に示す画面は、図４（ｄ）に示す画面と等価であるが、図４（ｅ）に示す画面で選択されたグループ内の画像データの枚数がアイコン４−１４として表示される。なお、図４（ｄ）は、第１の選択画面の例であり、図４（ｅ）は、第３の選択画面の例である。
【００３３】
一方、図４（ａ）に示す画面で、グループに属する代表画像データやアイコン４−２がタップされると、図３（ｄ）に示す画面と等価の図４（ｂ）に示す画面に遷移する（図４の（１））。上述したように、図４（ｂ）に示す画面にも、選択画面遷移ボタン４−５が配置されている。ここで、選択画面遷移ボタン４−５がタップされると、第２の選択画面である図４（ｇ）に示す画面に遷移する（図４の（７））。また、図４（ｂ）に示す画面には、図４（ａ）に示す元の画面の表示に戻す（図４の（２））ための戻りボタン４−５が配置されている。図４（ｇ）に示す画面は、グループ内の画像データを選択するための画面である。図４（ｇ）に示す画面に表示されているサムネール画像データがタップされると、選択されたことを示す選択アイコン４−１５が表示される。なお、図４（ｇ）に示す画面は、第２の選択画面の例である。
【００３４】
図４（ｇ）に示す画面は、上述した図４（ｅ）に示す画面と類似しているが、図４（ｇ）に示す画面には、送信ボタン３−６と等価の送信ボタン４−１１が配置されている点が異なる。また、図４（ｄ）、図４（ｆ）及び図４（ｇ）に示す画面には、選択モードから単なる表示モードへと抜けるための切り替えボタン４−９がそれぞれ置かれており、図４（ｄ）及び図４（ｆ）に示す画面で切り替えボタン４−９がタップされた場合、図４（ａ）に示す画面に遷移し（図４の（４））、図４（ｇ）に示す画面で切り替えボタン４−９がタップされた場合、図４（ｄ）に示す画面に遷移する（図４の（８））ことになる。
【００３５】
図４（ｂ）に示す画面上で表示されているサムネール画像データ４−４がタップされると、図４（ｃ）に示す画面に遷移する（図４の（９））。図４（ｃ）に示す画面は、図３（ｅ）と等価な画面である。従って、図４（ｃ）に示す画面においても、送信ボタン３−６及び移動用ボタン３−３等と等価な送信ボタン４−３及び移動用ボタン４−８等が配置されている。また、図４（ｃ）に示す画面にも、元の画面の表示に戻す（図４の（１０））ための戻りボタン４−１６が配置されている。
【００３６】
次に、図６を参照しながら、本実施形態に係るデジタルカメラシステムの処理について説明する。図６は、本実施形態に係るデジタルカメラシステムの処理を示すフローチャートである。なお、図６において、ステップＳ６０４〜Ｓ６１１は、情報処理装置２００内のＣＰＵ２０１が記録媒体２０３から必要なデータ及びプログラムをＲＡＭ２０２に読み出して、実行することにより実現する処理である。また、図６において、ステップＳ６０１〜Ｓ６０３は、情報入力装置１００内の演算装置１０３が二次記憶装置１０７から必要なデータ及びプログラムを一次記憶装置１０６に読み出して、実行することにより実現する処理である。
【００３７】
ステップＳ６０１において、情報入力装置１００は、他の画像データと関連していない単体画像データ、及び、高速連写等により撮影された他の画像データと関連しているグループ内の画像データを統一的に扱うために、後述するグループ情報構造体を画像データ毎に生成する。なお、上述した単体画像データもグループ内の画像データも全て、情報入力装置１００の着脱可能記憶媒体１１１に記録されている画像データである。
【００３８】
図５は、グループ情報構造体の例を示す図である。図５に示すように、グループ情報構造体には３つのパートがあり、それぞれＧｒｏｕｐＩＤ５０１、ＫｉｎｄＯｆＧｒｏｕｐ５０２及びＮｕｍｂｅｒＯｆＧｒｏｕｐ５０３となっている。情報入力装置１００は、着脱可能記憶媒体１１１に記録されている画像データを順に検索していき、各画像データに対してＧｒｏｕｐＩＤ５０１を付与してグループ情報構造体を生成する。なお、ＧｒｏｕｐＩＤ５０１は、情報入力装置１００において生成されたグループ毎に付与される情報である。但し、グループに属しない画像データに対しては、他のＧｒｏｕｐＩＤとは重複しない適当な値のＧｒｏｕｐＩＤが付与されたグループ情報構造体が生成される。
【００３９】
ＫｉｎｄＯｆＧｒｏｕｐ５０２には、グループの種類を示す値が設定される。例えば、連写撮影である場合、ＫｉｎｄＯｆＧｒｏｕｐ５０２には１が設定され、露出ブラケット撮影である場合、ＫｉｎｄＯｆＧｒｏｕｐ５０２には２が設定され、フォーカスブラケット撮影である場合、ＫｉｎｄＯｆＧｒｏｕｐ５０２には３が設定される。
【００４０】
ＮｕｍｂｅｒＯｆＧｒｏｕｐ５０３には、そのグループに存在する画像データの枚数が設定される。例えば、連写撮影で１０枚撮影される場合には、ＮｕｍｂｅｒＯｆＧｒｏｕｐ５０３には１０が設定される。一方、他の画像データと関連していない単体画像データである場合には、ＮｕｍｂｅｒＯｆＧｒｏｕｐ５０３には１が設定される。
【００４１】
ステップＳ６０４において、情報処理装置２００は、各画像データについて生成されたグループ情報構造体を情報入力装置１００に対して要求する。ステップＳ６０２において、情報入力装置１００は、各画像データに対応するグループ情報構造体を情報処理装置２００に対して送信する。
【００４２】
ステップＳ６０５において、情報処理装置２００は、各画像データに対応するグループ情報構造体を受信する。ステップＳ６０６において、情報処理装置２００は、ＧｒｏｕｐＩＤ毎に、グループ情報構造体のＮｕｍｂｅｒＯｆＧｒｏｕｐ５０３を参照し、ＮｕｍｂｅｒＯｆＧｒｏｕｐ５０３に２以上の値が設定されているか否かを判定する。ＮｕｍｂｅｒＯｆＧｒｏｕｐ５０３に２以上の値が設定されている場合、処理はステップＳ６０７に移行する。一方、ＮｕｍｂｅｒＯｆＧｒｏｕｐ５０３に２以上の値が設定されていない場合（１の値が設定されている場合）、処理はステップＳ６０８に移行する。ステップＳ６０７において、情報処理装置２００は、束表示等のグループ用の表示準備を行う。ステップＳ６０８において、情報処理装置２００は、単体画像データ用の表示準備を行う。
【００４３】
ステップＳ６０９において、情報処理装置２００は、サムネール画像データを情報入力装置１００に対して要求する。即ち、グループ用の表示準備が行われている場合、該当するグループの代表画像データのサムネール画像データが情報入力装置１００に対して要求される。一方、単体画像データ用の表示準備が行われている場合、当該単体画像データのサムネール画像データが情報入力装置１００に対して要求される。
【００４４】
ステップＳ６０３において、情報入力装置１００は、情報処理装置２００からの要求に応じて、グループの代表画像データのサムネール画像データ、又は、単体画像データのサムネール画像データを情報処理装置２００に対して送信する。ステップＳ６１０において、情報処理装置２００は、情報入力装置１００からサムネール画像データを受信し、表示する。ステップＳ６１１において、情報処理装置２００は、全てのＧｒｏｕｐＩＤについて処理を完了したか否かを判定する。全てのＧｒｏｕｐＩＤについて処理を完了した場合、処理は終了する。一方、全てのＧｒｏｕｐＩＤについて処理を未だ完了していない場合、処理はステップＳ６０６に戻り、次のＧｒｏｕｐＩＤについて処理が繰り返される。
【００４５】
本実施形態によれば、他の画像データと関連がない単体画像データと他の画像データと関連を持つグループ内の画像データとが混在しているような場合においても、スマートフォン等の限られたサイズの表示装置を用いて、ユーザにとって分かりやすく且つ操作し易い画面表示を行うことが可能となる。
【００４６】
特に、画面遷移において遷移した経路を記憶しておき、戻る際には来た画面へ戻っていけることにより、ユーザが迷うことなく画面遷移操作を行うことができるようになる。また、各表示画面に対応した選択画面を設けることにより、ユーザが画像データを選択しようとした際にも分かり易く迷わずに行うことができる。例えば、グループに分かれている画像データ群が混在していても、全部で何枚選んだのか、また、どのグループから何枚選択したのかが一目で分かるようになり、ユーザの利便性を向上させることができる。
【００４７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４８】
１００：情報入力装置、２００：情報処理装置、１０２：通信制御装置、１０３：演算装置、１０４：信号処理装置、１０５：光学ユニット、１０６：一次記憶装置、１０７：二次記憶装置、１０８：操作部材、１０９：表示部材、１１０：読み出し専用メモリ、１１１：着脱可能記憶媒体、２０１：ＣＰＵ、２０２：ＲＡＭ、２０３：記録媒体、２０４：通信インタフェース、２０５：ディスプレイ、２０６：ユーザインタフェース
【図１】
2014130527.tif 000003
【図２】
2014130527.tif 000004
【図３】
2014130527.tif 000005
【図４】
2014130527.tif 000006
【図５】
2014130527.tif 000007
【図６】
2014130527.tif 000008